(57)【特許請求の範囲】
【請求項１】
内視鏡に照明光を供給する照明ランプと、
前記照明ランプと並列に接続され、少なくとも当該照明ランプの点灯用電源となるバッテリと、
上記バッテリの電力を上記照明ランプに供給する点灯用スイッチと、
前記照明ランプと並列に接続され、上記バッテリの電圧を検出するバッテリ状態検出手段と、
上記バッテリ状態検出手段による当該バッテリの電圧状態を報知可能なバッテリ状態報知手段と、
上記バッテリの電力を少なくとも上記バッテリ状態検出手段および上記バッテリ状態報知手段に供給するバッテリ残量表示スイッチと、
を備え、
上記照明ランプと上記点灯用スイッチとの間と、上記バッテリ状態検出手段と上記バッテリ残量表示スイッチとの間をダイオードを介して接続し、上記点灯用スイッチがオンされているときには、上記バッテリ残量表示スイッチの状態に拘わらず当該点灯用スイッチのオン動作に基づいて上記バッテリ状態検出手段および上記バッテリ状態報知手段を作動せしめ、上記点灯用スイッチがオフされているときには、上記バッテリ残量表示スイッチのオン動作に基づいて上記バッテリ状態検出手段および上記バッテリ状態報知手段を作動せしめることを特徴とする内視鏡のバッテリ式光源装置。
【発明の詳細な説明】
【０００１】
【発明の属する技術分野】
本発明は、バッテリにより照明ランプを点灯して内視鏡に照明光を供給する内視鏡のバッテリ式光源装置に関する。
【０００２】
【従来の技術】
従来より、内視鏡の光源装置としては、商用電源から供給される電源を利用して光源装置内部のランプを発光させるものが広く用いられている。これに対し、近年、例えば特開平１０−４３１３３号公報に示すように、電源にバッテリを利用した小型のバッテリ式光源装置を着脱自在に取付けられるようにした内視鏡が提案されている。
【０００３】
このような小型のバッテリ式光源装置が取り付けられる内視鏡は、持ち運びが容易で携帯性に優れ、また、電源のないところでの使用も可能であるので、緊急時の処置やベットサイドでの処置のように、大きな光源装置を運び込む事が困難な場所での用途に特に優れた効果を発揮する。
【０００４】
【発明が解決しようとする課題】
しかしながら、上述の内視鏡のバッテリ式光源装置は、電源がバッテリであるため、バッテリの消耗状態を知ることなくバッテリが消耗したままだと、予期せぬ時にバッテリが切れてしまい、緊急時などの必要な場合に使用できなくなり、その優れた機能を十分に発揮できない虞が生じる。
【０００５】
本発明は上記事情に鑑みてなされたもので、内視鏡から取り外した状態であってもバッテリの残量表示が可能で、バッテリ残量を容易に確認でき、内視鏡に取り付けて使用するにあたり十分なバッテリ残量としておくことのできる内視鏡のバッテリ式光源装置を提供することを目的とする。
【０００６】
【課題を解決するための手段】
上記の目的を達成するために本発明の内視鏡のバッテリ式光源装置は、内視鏡に照明光を供給する照明ランプと、前記照明ランプと並列に接続され、少なくとも当該照明ランプの点灯用電源となるバッテリと、上記バッテリの電力を上記照明ランプに供給する点灯用スイッチと、前記照明ランプと並列に接続され、上記バッテリの電圧を検出するバッテリ状態検出手段と、上記バッテリ状態検出手段による当該バッテリの電圧状態を報知可能なバッテリ状態報知手段と、上記バッテリの電力を少なくとも上記バッテリ状態検出手段および上記バッテリ状態報知手段に供給するバッテリ残量表示スイッチと、を備え、上記照明ランプと上記点灯用スイッチとの間と、上記バッテリ状態検出手段と上記バッテリ残量表示スイッチとの間をダイオードを介して接続し、上記点灯用スイッチがオンされているときには、上記バッテリ残量表示スイッチの状態に拘わらず当該点灯用スイッチのオン動作に基づいて上記バッテリ状態検出手段および上記バッテリ状態報知手段を作動せしめ、上記点灯用スイッチがオフされているときには、上記バッテリ残量表示スイッチのオン動作に基づいて上記バッテリ状態検出手段および上記バッテリ状態報知手段を作動せしめることを特徴とする。
【０００８】
【発明の実施の形態】
以下、図面を参照して本発明の実施の形態を具体的に説明する。
図１〜図３は本発明の実施の第１形態に係り、図１は内視鏡装置の全体を示す外観斜視図、図２はバッテリ式光源装置の外観斜視図、図３は光源装置動作回路の説明図である。
【０００９】
図１において、符号１は内視鏡装置を示し、この内視鏡装置１は内視鏡本体２にバッテリ式光源装置３を着脱自在に接続して主要に構成されている。
【００１０】
上記内視鏡本体２は、細長の挿入部４と、この挿入部４の後端に形成された操作部５と、この操作部５の後端に形成された接眼部６と、操作部５から突設されたライトガイド口金７とからなり、このライトガイド口金７の端部にバッテリ式光源装置３の接続口金８が着脱自在に接続されるようになっている。
【００１１】
上記内視鏡本体２の挿入部４は、その先端に形成された先端部９と、この先端部９の後端に形成されて湾曲自在の湾曲部１０と、湾曲部１０の後端から操作部５の前端まで形成された可撓性を右する可撓部１１とからなる。
【００１２】
上記内視鏡本体２の挿入部４内には、照明光を導光（伝送）する図示しないライトガイドファイバが挿通され、このライトガイドファイバは操作部５を経てその後端がライトガイド口金７内で固定されている。
【００１３】
そして、上記ライトガイド口金７にバッテリ式光源装置３の接続口金８を接続することにより、バッテリ式光源装置３内に設けられた照明ランプ（図３の回路図中の符号１２）を発光させた場合には、この照明ランプ１２からの照明光が、ライトガイド口金７のライトガイドファイバの光入射端面に供給される。供給された照明光は、ライトガイドファイバにより導光され、先端部９の照明窓（図示せず）に固定された先端面、つまり光出射端面から前方に出射され、患部などの被写体を照明する。
【００１４】
また、上記バッテリ式光源装置３は、図２に示すように、小型の光源装置本体３ａ内に、上記照明ランプ１２とバッテリ（図３の回路図中の符号１３）としての乾電池又は充電式電池とを内蔵し、後述する光源装置動作回路１４を有して構成されている。
【００１５】
そして、上記光源装置本体３ａの一表面からは、内視鏡本体２のライトガイド口金７に接続される上記接続口金８が突設されると共に、他の表面には、バッテリ残量を表示する表示パネル１５と、この表示パネル１５にバッテリ残量を表示させるため、即ち、バッテリ残量を表示させる際にＯＮする残量表示スイッチ１６とが配設されている。
【００１６】
上記表示パネル１５には、ＬＥＤ群１７（本例では、ＬＥＤ１（１７ａ）、ＬＥＤ２（１７ｂ）、ＬＥＤ３（１７ｃ）及びＬＥＤ４（１７ｄ）の４つ）が縦一列に配設されると共に、その横にＬＥＤ群１７の表示の意味を直感的に説明するマーク１８が描写されている。
【００１７】
上記マーク１８は、例えば、上記接続口金８側を底辺とする直角三角形の表示で、底辺横に配設されるＬＥＤ１（１７ａ）が点灯する場合は満充電の状態であることを示し、マーク１８の頂点に向かう程、その横のＬＥＤの点灯はバッテリ残量が少ないことを示し、最も頂点側のＬＥＤ４（１７ｄ）が点灯する場合は、バッテリ残量が僅か、或いは、バッテリ式光源装置３が使用できないほどバッテリ残量が僅かであることを示すものである。
【００１８】
また、上記バッテリ式光源装置３は、光源装置本体３ａを内視鏡本体２と接続した状態で、図２中の矢印の如く、接続口金８を軸として光源装置本体３ａを略９０°回動させることで照明ランプ１２の電源スイッチ（図３の回路図中の符号１９）がＯＮして、内蔵した照明ランプ１２が点灯するようになっている。
【００１９】
一方、上記バッテリ式光源装置３の光源装置動作回路１４は、図３に示すように、上記照明ランプ１２と、上記ＬＥＤ群１７を点灯してバッテリ残量を表示させるバッテリ残量表示回路２０とが上記バッテリ１３に並列に接続されており、照明ランプ１２を通電するラインには上記電源スイッチ１９が、バッテリ残量表示回路２０を通電するラインには上記残量表示スイッチ１６がそれぞれ設けられている。
【００２０】
また、上記照明ランプ１２と上記電源スイッチ１９との間は、上記バッテリ残量表示回路２０と上記残量表示スイッチ１６との間と、ダイオード２１を介して接続されており、残量表示スイッチ１６がＯＦＦであっても電源スイッチ１９のＯＮによりバッテリ残量表示回路２０に通電されるようになっている。又、上記ダイオード２１により、電源スイッチ１９がＯＦＦの際は、残量表示スイッチ１６をＯＮしても照明ランプ１２は通電されないようになっている。
【００２１】
上記バッテリ残量表示回路２０は、上記バッテリ１３の電圧を検出するバッテリ状態検出手段としての電圧検出回路２２と、この電圧検出回路２２からの電圧に基づいて上記ＬＥＤ群１７を点灯させる駆動回路２３とを備えて構成されている。
【００２２】
そしてこのような光源装置動作回路１４の回路構成により、バッテリ式光源装置３は、照明ランプ１２の電源スイッチ１９のＯＮ−ＯＦＦに係わらず、残量表示スイッチ１６をＯＮすることでＬＥＤ群１７を表示させることが可能になっており、バッテリ状態報知手段の機能を有している。
【００２３】
次に、上記構成の作用について説明する。
まず、バッテリ式光源装置３の電源スイッチ１９をＯＦＦしたままの状態（内視鏡本体２と光源装置本体３ａとが分離された状態、或いは、内視鏡本体２に光源装置本体３ａを接続はしているが接続口金８を軸として光源装置本体３ａを略９０°回動させていない状態）に、バッテリ式光源装置３のバッテリ残量を表示させる場合について説明する。
【００２４】
この場合、バッテリ式光源装置３の残量表示スイッチ１６をＯＮすると、バッテリ残量表示回路２０に導通され、電圧検出回路２２でバッテリ１３の電圧が検出されて、この電圧検出回路２２からの電圧に基づいて駆動回路２３はＬＥＤ群１７を点灯させる。
【００２５】
次いで、内視鏡本体２に光源装置本体３ａを略９０°回動させて接続している状態では、バッテリ式光源装置３の電源スイッチ１９がＯＮされて、照明ランプ１２が点灯されると共に、バッテリ残量表示回路２０にも導通される。このため、残量表示スイッチ１６をＯＮせずとも、常時、電圧検出回路２２でバッテリ１３の電圧が検出されて、この電圧検出回路２２からの電圧に基づいて駆動回路２３はＬＥＤ群１７を点灯させる。
【００２６】
このように、本実施の第１形態によれば、バッテリ式光源装置３は、電源スイッチ１９がＯＦＦの状態であっても、残量表示スイッチ１６をＯＮすることでＬＥＤ群１７の点灯によりバッテリ残量が示されるので、使用者は、バッテリ残量を容易に確認でき、バッテリ式光源装置３を内視鏡本体２に取り付けて使用するにあたり十分なバッテリ残量としておくことができる。
【００２７】
次に、図４は本発明の実施の第２形態に係るバッテリ式光源装置の外観斜視図である。尚、本発明の実施の第２形態は、バッテリ式光源装置の外観及び電源スイッチが前記実施の第１形態と異なるものであり、接続される内視鏡本体及びバッテリ式光源装置の動作回路は前記実施の第１形態と同様に構成される。このため、内視鏡本体と、図３の回路説明図で示されるものには、前記実施の第１形態と同一の符号を記して説明する。
【００２８】
すなわち、図４において、符号３０はバッテリ式光源装置を示し、このバッテリ式光源装置３０は、円筒状の小型の光源装置本体３０ａ内に、照明ランプ１２とバッテリ１３としての乾電池又は充電式電池とを内蔵し、光源装置動作回路１４を有して構成されている。
【００２９】
そして、上記光源装置本体３０ａの底部表面からは、内視鏡本体２のライトガイド口金７に接続される接続口金３１が突設されると共に、バッテリ残量を表示する表示パネル３２が設けられている。また、上記光源装置本体３０ａの表面には、上記表示パネル３２下に、この表示パネル３２にバッテリ残量を表示させるため、即ち、バッテリ残量を表示させる際にＯＮする残量表示スイッチ１６が配設され、さらに、この残量表示スイッチ１６の下には、使用者が、照明ランプ１２の点灯、消灯を行う電源スイッチ１９が配設されている。
【００３０】
また、上記表示パネル３２には、前記実施の第１形態と同様、ＬＥＤ群１７（本例では、ＬＥＤ１（１７ａ）、ＬＥＤ２（１７ｂ）、ＬＥＤ３（１７ｃ）及びＬＥＤ４（１７ｄ）の４つ）が縦一列に配設されている。
【００３１】
そして、本実施の第２形態では、前記実施の第１形態と同様の光源装置動作回路１４を有していることから、バッテリ式光源装置３０の電源スイッチ１９をＯＦＦしたままの状態で、残量表示スイッチ１６をＯＮすると、バッテリ残量表示回路２０に導通される。これにより、電圧検出回路２２でバッテリ１３の電圧が検出され、この電圧検出回路２２からの電圧に基づいて駆動回路２３はＬＥＤ群１７を点灯させてバッテリ式光源装置３０のバッテリ残量を表示する。
【００３２】
また、内視鏡本体２に光源装置本体３０ａを接続し、バッテリ式光源装置３の電源スイッチ１９をＯＮすると、照明ランプ１２が点灯されると共に、バッテリ残量表示回路２０にも導通される。このため、残量表示スイッチ１６をＯＮせずとも、常時、電圧検出回路２２でバッテリ１３の電圧が検出されて、この電圧検出回路２２からの電圧に基づいて駆動回路２３はＬＥＤ群１７を点灯させ、バッテリ式光源装置３０のバッテリ残量を表示する。
【００３３】
このように、本実施の第２形態によっても、バッテリ式光源装置３０は、電源スイッチ１９がＯＦＦの状態であっても、残量表示スイッチ１６をＯＮすることでＬＥＤ群１７の点灯によりバッテリ残量が示されるので、使用者は、バッテリ残量を容易に確認でき、バッテリ式光源装置３０を内視鏡本体２に取り付けて使用するにあたり十分なバッテリ残量としておくことができる。
【００３４】
次に、図５は本発明の実施の第３形態に係る光源装置動作回路の説明図である。尚、本実施の第３形態は、前記実施の第１形態に対して、残量表示スイッチを除くと共に、バッテリ式光源装置の動作回路を変更して構成したものである。
【００３５】
すなわち、図５に示すように、バッテリ式光源装置の光源装置動作回路４０は、照明ランプ１２と、ＬＥＤ群１７を点灯してバッテリ残量を表示させるバッテリ残量表示回路４１とがバッテリ１３に並列に接続されており、照明ランプ１２を通電するラインには電源スイッチ１９が設けられている。
【００３６】
また、上記バッテリ残量表示回路４１は、バッテリ１３の電圧を検出する電圧検出回路２２と、この電圧検出回路２２からの電圧に基づいてＬＥＤ群１７を点灯させる駆動回路２３と、間欠的にＬＥＤ群１７を点灯させるように制御（例えば、１０秒ＯＮ、５０秒ＯＦＦのタイマ制御）する間欠制御回路４２とを備えて構成されている。
【００３７】
このため、本実施の第３形態では、照明ランプ１２の電源スイッチ１９のＯＮ−ＯＦＦに係わらず、常時、ＬＥＤ群１７でバッテリ残量が表示され、前記第１形態と同様の効果が得られる。また、バッテリ残量表示は、バッテリ残量表示回路４１の間欠制御回路４２で間欠的に行われるため、表示に使用される電流の消耗が、単に連続表示するものに比べて少なくなる。
【００３８】
次に、図６は本発明の実施の第４形態に係る光源装置動作回路の説明図である。尚、本実施の第４形態は、前記実施の第３形態に対して、光源装置動作回路のバッテリ残量表示回路を変更して構成したものである。
【００３９】
すなわち、図６に示すように、バッテリ式光源装置の光源装置動作回路５０は、照明ランプ１２と、ＬＥＤ群１７を点灯してバッテリ残量を表示させるバッテリ残量表示回路５１とがバッテリ１３に並列に接続されており、照明ランプ１２を通電するラインには電源スイッチ１９が設けられている。
【００４０】
また、上記バッテリ残量表示回路５１は、バッテリ１３の電圧を検出する電圧検出回路２２と、この電圧検出回路２２からの電圧に基づいてＬＥＤ群１７を点灯させる駆動回路２３と、照明ランプ１２の点灯状態（点灯、消灯）を検出するランプ点灯検出回路５２と、このランプ点灯検出回路５２からの信号に応じて間欠的にＬＥＤ群１７を点灯させるように制御する間欠制御回路５３とを備えて構成されている。
【００４１】
そして、上記間欠制御回路５３は、例えば、ランプ点灯検出回路５２から照明ランプ１２が点灯と信号入力された際には、ＬＥＤ群１７を連続して点灯させるように制御する一方、ランプ点灯検出回路５２から照明ランプ１２が消灯と信号入力された際には、ＬＥＤ群１７を間欠的に点灯（例えば、１０秒ＯＮ、５０秒ＯＦＦのタイマ制御）させるように制御する。
【００４２】
このため、本実施の第４形態によれば、照明ランプ１２の電源スイッチ１９のＯＮ−ＯＦＦに係わらず、常時、ＬＥＤ群１７でバッテリ残量が表示され、前記第１形態と同様の効果が得られる。また、バッテリ残量表示は、照明ランプ１２が点灯している時、バッテリ残量表示が連続表示となるので、内視鏡を使用している時は、常にバッテリ１３の状態を把握する事ができる。従って、内視鏡の使用時にバッテリ１３が消耗した状態になった時には、スピーディーにバッテリ１３の交換又は充電を行え、或いは、使用中のバッテリ式光源装置を他の光源装置と切り換えることも可能になる。
【００４３】
尚、本実施の第４形態においては、間欠制御回路５３は、照明ランプ１２がＯＮしている時には、バッテリ残量表示を連続表示とし、照明ランプ１２がＯＦＦしている時には、間欠的に表示をするようにしたが、照明ランプ１２がＯＮしている時にはバッテリ残量表示の間欠時間の間隔（消灯の間隔）を短くし、照明ランプ１２がＯＦＦしている時には消灯の間隔を長く間欠表示するようにすれば、連続的に残量表示をするものに比べ、バッテリの消耗が少なくなる。
【００４４】
次に、図７〜図９は本発明の実施の第５形態に係り、図７は光源装置動作回路の説明図、図８はバッテリ残量表示プログラムを示すフローチャート、図９はバッテリの放電特性図である。充電型バッテリを使用した場合、バツテリには、完全に放電しきると性能劣化（見かけ上の容量が低下）する特性がある。従って、本実施の第５形態は、バッテリ式光源装置の光源装置動作回路により、バッテリが完全に放電しきらないうちに次の充電ができるように適切な充電時期を知らせる表示ができるようにするものである。尚、前記実施の第１形態と同様のものには同一の符号を記し、説明は省略する。
【００４５】
すなわち、図７に示すように、バッテリ式光源装置の光源装置動作回路６０は、照明ランプ１２と、ＬＥＤ群１７を点灯してバッテリ残量を表示させるバッテリ残量表示回路６１とがバッテリ１３に並列に接続されており、照明ランプ１２を通電するラインには電源スイッチ１９が設けられている。
【００４６】
また、上記バッテリ残量表示回路６１は、バッテリ１３の電圧を検出する電圧検出回路２２と、この電圧検出回路２２からの電圧に基づいて、後述するバッテリ残量表示プログラムに従い、点灯させるＬＥＤ群１７を選択し信号出力する報知制御回路６２と、この報知制御回路６２からの信号により駆動され、ＬＥＤ群１７のＯＮ−ＯＦＦを行うＬＥＤ駆動回路６３とを備えて構成されている。
【００４７】
そして、上記バッテリ残量表示回路６１は、バッテリ残量表示プログラムにより、バッテリ１３が満充電の際にはＬＥＤ１（１７ａ）を点灯させ、バッテリ１３が満充電ではないが充電の必要がない場合にはＬＥＤ２（１７ｂ）を点灯させ、バッテリ１３が充電時期の際にはＬＥＤ３（１７ｃ）を点灯させ、バッテリ１３の残量が更に少なくすぐに使用できなくなる虞がある場合にはＬＥＤ４（１７ｄ）を点灯させる。
【００４８】
即ち、上記バッテリ残量表示回路６１でのバッテリ残量表示プログラムは、繰り返し実行されるプログラムで、図８に示すように、まず、ステップ（以下、「Ｓ」と略称）１０１で、電圧検出回路２２によりバッテリ電圧ＶB を検出し、Ｓ１０２に進む。
【００４９】
Ｓ１０２では、バッテリ電圧ＶB と電圧値Ｖmax との比較を行い、バッテリ電圧ＶB が電圧値Ｖmax より高い（ＶB ＞Ｖmax ）場合ば、Ｓ１０３に進んで満充電を報知するＬＥＤ１（１７ａ）を点灯させてプログラムを抜ける。一方、バッテリ電圧ＶB が電圧値Ｖmax 以下（ＶB ≦Ｖmax ）の場合は、Ｓ１０４以降へと進む。ここで、上記電圧値Ｖmax は、図９に示すように、バッテリ１３を殆ど使用していない状態の際に検出される、予め設定しておいた電圧値である。
【００５０】
上記Ｓ１０２でＶB ≦Ｖmax と判定されてＳ１０４に進むと、バッテリ電圧ＶB と電圧値Ｖemp との比較が行われる。そして、バッテリ電圧ＶB が電圧値Ｖemp 以下（ＶB ≦Ｖemp ）の場合は、Ｓ１０５に進んで使用不可警告のためのＬＥＤ４（１７ｄ）を点灯させてプログラムを抜ける。一方、バッテリ電圧ＶB が電圧値Ｖemp よりも高い（ＶB ＞Ｖemp ）場合は、Ｓ１０６以降へと進む。ここで、上記電圧値Ｖemp は、図９に示すように、これ以上バッテリ１３を使用するとすぐに使用できなくなる虞があり、また、性能劣化（見かけ上の容量が低下）を引き起こす可能性が高くなる電圧値であり、予め設定しておいたものである。
【００５１】
上記Ｓ１０４でＶB ＞Ｖemp と判定されてＳ１０６に進むと、バッテリ電圧ＶB と電圧値Ｖchg との比較が行われる。そして、バッテリ電圧ＶB が電圧値Ｖchg 以下（ＶB ≦Ｖchg ）の場合は、Ｓ１０７に進んでバッテリ１３が充電時期であることを示すＬＥＤ３（１７ｃ）を点灯させてプログラムを抜ける。一方、バッテリ電圧ＶB が電圧値Ｖchg よりも高い（ＶB ＞Ｖchg ）場合は、Ｓ１０８へと進み、バッテリ１３が満充電ではないが充電の必要もない際のＬＥＤ２（１７ｂ）を点灯させてプログラムを抜ける。ここで、上記電圧値Ｖchg は、図９に示すように、バッテリ特性から予め求めておいた充電に最適な時期における電圧値の最大値である。また、ＬＥＤ２（１７ｂ）が点灯する状態では、図中、Ｖmax とＶchg の間のＶmid の電圧値となっている。
【００５２】
このように、本実施の第５形態によれば、前記実施の第１形態による効果に加え、バッテリ１３の状態をより細かく報知することができるため、使用者はバツテリ１３を適切な時期で充電できるようになる。尚、本実施の第５形態では、４つのＬＥＤで報知するようにしているが、３つのＬＥＤで報知するようにしても良く、或いは５つ以上のＬＥＤでより細かくバッテリ１３の状態を報知するようにしても良い。また、ＬＥＤを点灯して報知することに限らず、ＬＥＤを点滅させ報知するようにしても良い。さらに、バッテリ残量が多いときと少ないときで点灯周期を変えて、報知するようにしても良い。また、ＬＥＤ点灯による方法で説明したが、携帯電話などに搭載されているバイブレータ機能による報知でも良い。さらに、図７中の破線で示すように、ブザー駆動回路６４、ブザー６５を設け、報知制御回路６２はブザーからの音で報知するようにしても良い。特に、このバイブレータ機能やブザー６５よる報知は、内視鏡観察中に表示部を見る事なしにバッテリ残量の告知ができるため、術者にとって表示を確認する煩わしさが低減される。
【００５３】
次に、図１０及び図１１は本発明の実施の第６形態に係り、図１０は光源装置動作回路の説明図、図１１はバッテリ残量表示プログラムを示すフローチャートである。尚、本実施の第６形態は、前記実施の第５形態に対して、光源装置動作回路のバッテリ残量表示回路を変更して構成し、異なる作用効果を得るようにしたものである。
【００５４】
すなわち、図１０に示すように、バッテリ式光源装置の光源装置動作回路７０は、照明ランプ１２と、ＬＥＤ群１７を点灯してバッテリ残量を表示させるバッテリ残量表示回路７１とがバッテリ１３に並列に接続されており、照明ランプ１２を通電するラインには電源スイッチ１９が設けられている。
【００５５】
また、上記照明ランプ１２と電源スイッチ１９との間と、上記バッテリ残量表示回路７１の通電ラインは、上記バッテリ残量表示回路７１の切換判定回路７２と接続されている。
【００５６】
上記バッテリ残量表示回路７１は、バッテリ１３の電圧を検出する電圧検出回路２２と、バッテリ残量表示回路７１側への通電或いは照明ランプ１２側への通電を検出する切換判定回路７２と、バッテリー１３の交換によりリセット信号を出力するリセット回路７３と、上記電圧検出回路２２、切換判定回路７２及びリセット回路７３からの入力信号に基づいて、後述するバッテリ残量表示プログラムに従い、ＬＥＤ群１７の点灯消灯の制御信号を出力する報知制御回路７４と、この報知制御回路７４からの信号により駆動され、ＬＥＤ群１７のＯＮ−ＯＦＦを行う駆動回路７５とを備えて構成されている。
【００５７】
そして、上記バッテリ残量表示回路７１は、バッテリ残量表示プログラムにより、バッテリ１３交換後は、ＬＥＤ群１７による間欠表示を開始する前に一定時間（例えば、６０秒間）連続表示を行うようになっている。
【００５８】
即ち、上記バッテリ残量表示回路７１でのバッテリ残量表示プログラムは、バッテリ１３を新たに接続した際にスタートされ、図１１に示すように、まず、Ｓ２０１で、リセット回路７３からのリセット信号によりパワーＯＮによるリセットを行う。
【００５９】
次いで、Ｓ２０２に進み、電圧検出回路２２によりバッテリ電圧ＶB を検出し、Ｓ２０３に進んで、このバッテリ電圧ＶB が、どれ程のバッテリ残量を示すものか判定し、ＬＥＤ群１７の中で点灯するＬＥＤを決定する。具体的には、前記実施の第５形態で説明したようなＬＥＤの選定となる。
【００６０】
次に、Ｓ２０４へと進み、上記Ｓ２０３で決定したＬＥＤを一定時間（例えば６０秒間）連続表示させ、その後、Ｓ２０５へと進む。
【００６１】
Ｓ２０５では、切換判定回路７２からの信号（電源スイッチ１９により照明ランプ１２がＯＮされているか否か）を読み込み、更に、Ｓ２０６に進み、電圧検出回路２２によりバッテリ電圧ＶB を検出して、Ｓ２０７へと進む。
【００６２】
Ｓ２０７では、上記Ｓ２０５の結果、即ち、電源スイッチ１９により照明ランプ１２がＯＮされているか否かの判定が行われる。そして、照明ランプ１２がＯＮされている場合はＳ２０８に進んで、上記Ｓ２０３と同様、上記Ｓ２０６によるバッテリ電圧ＶB が、どれ程のバッテリ残量を示すものか判定し、ＬＥＤ群１７の中で点灯するＬＥＤを決定し、Ｓ２０９に進んで、該当するＬＥＤを連続表示させ、再び上記Ｓ２０５からの処理を繰り返す。
【００６３】
一方、上記Ｓ２０７での判定の結果、照明ランプ１２がＯＦＦされている場合はＳ２１０に進み、上記Ｓ２０３と同様、上記Ｓ２０６によるバッテリ電圧ＶB が、どれ程のバッテリ残量を示すものか判定し、ＬＥＤ群１７の中で点灯するＬＥＤを決定し、Ｓ２１１に進んで、該当するＬＥＤを間欠表示（例えば、１０秒ＯＮ−５０秒ＯＦＦ）させ、再び上記Ｓ２０５からの処理を繰り返す。
【００６４】
このように、本実施の第６形態によれば、前記実施の第１形態による効果に加え、バッテリ１３交換後に連続表示を行う事で、バッテリ１３の残量状態がすぐに分かるようになり、残量不足の場合は、再充電を行うか、或いは、バッテリ１３を新品に交換する事が可能となる。尚、本実施の第５形態においても、例え照明ランプ１２がＯＦＦで間欠表示を連続して行うと、バッテリーが消耗してしまうので、この間欠表示も予め設定した時間で自動的に表示をやめるようにしても良い。この際、予め設定する時間は、内視鏡検査終了後に行う内視鏡の洗浄・消毒完了までの時間内は表示ができるように設定する。
【００６５】
尚、上記各実施の形態では、ＬＥＤを点灯して報知するようにしているが、ＬＣＤを用いて表示し報知するようにしても良い。また、前述の実施の第５形態で述べた如く、ブザーからの音やバイブレータ機能による報知（兼用或いは単独であっても可能）であっても良い。
【００６６】
［付記］
１．  内視鏡に照明光を供給する照明ランプと、該照明ランプを点灯するバッテリとを備えた内視鏡のバッテリ式光源装置において、上記バッテリの消耗状態を検出するバッテリ状態検出手段と、上記照明ランプの電源スイッチのオンオフに係わらず上記バッテリの消耗状態を報知自在なバッテリ状態報知手段とを備えたことを特徴とする内視鏡のバッテリ式光源装置。
【００６７】
２．  上記バッテリ状態報知手段は、報知用に設けたスイッチをオンすることでバッテリの消耗状態を報知することを特徴とする付記項１に記載の内視鏡のバッテリ式光源装置。
【００６８】
３．  上記バッテリ状態報知手段は、上記照明ランプの電源スイッチのオンオフに係わらず上記バッテリの消耗状態を常時報知することを特徴とする付記項１又は付記項２記載の内視鏡のバッテリ式光源装置。
【００６９】
４．  上記バッテリ状態報知手段は、間欠的な報知と連続的な報知とを所定に組み合わせて行うことを特徴とする付記項１乃至付記項３の何れか一つに記載の内視鏡のバッテリ式光源装置。
【００７０】
５．  上記バッテリ状態報知手段は、間欠的な報知のみ行うことを特徴とする付記項１乃至付記項３の何れか一つに記載の内視鏡のバッテリ式光源装置。
【００７１】
６．  上記バッテリは充電自在であり、上記バッテリ状態報知手段は、少なくとも上記バッテリの充電時期を報知することを特徴とする付記項１乃至付記項５の何れか一つに記載の内視鏡のバッテリ式光源装置。
【００７２】
【発明の効果】
以上説明したように本発明によれば、内視鏡から取り外した状態であってもバッテリの残量表示が可能で、バッテリ残量を容易に確認でき、内視鏡に取り付けて使用するにあたり十分なバッテリ残量としておくことが可能になる。
【図面の簡単な説明】
【図１】本発明の実施の第１形態に係る、内視鏡装置の全体を示す外観斜視図
【図２】同上、バッテリ式光源装置の外観斜視図
【図３】同上、光源装置動作回路の説明図
【図４】本発明の実施の第２形態に係る、バッテリ式光源装置の外観斜視図
【図５】本発明の実施の第３形態に係る、光源装置動作回路の説明図
【図６】本発明の実施の第４形態に係る、光源装置動作回路の説明図
【図７】本発明の実施の第５形態に係る、光源装置動作回路の説明図
【図８】同上、バッテリ残量表示プログラムを示すフローチャート
【図９】同上、バッテリの放電特性図
【図１０】本発明の実施の第６形態に係る、光源装置動作回路の説明図
【図１１】同上、バッテリ残量表示プログラムを示すフローチャート
【符号の説明】
１…内視鏡装置
２…内視鏡本体
３…バッテリ式光源装置
３ａ…光源装置本体
１２…照明ランプ
１３…バッテリ
１４…光源装置動作回路
１５…表示パネル
１６…残量表示スイッチ
１７…ＬＥＤ群
１９…電源スイッチ
２０…バッテリ残量表示回路
２１…ダイオード
２２…電圧検出回路
２３…駆動回路
【図１】
0003650294.tif 000002
【図２】
0003650294.tif 000003
【図３】
0003650294.tif 000004
【図４】
0003650294.tif 000005
【図５】
0003650294.tif 000006
【図６】
0003650294.tif 000007
【図７】
0003650294.tif 000008
【図８】
0003650294.tif 000009
【図９】
0003650294.tif 000010
【図１０】
0003650294.tif 000011
【図１１】
0003650294.tif 000012